(57)【要約】  【課題】  移動体の位置検出ポイントが広い間隔をあけて複数存在する場合でも、移動体を高い精度で位置決めすることができる駆動装置を提供する。  【解決手段】  磁界を発生させる磁界発生部材７と、磁界を検出する第１，第２，第３の磁界検出素子６Ａ，６Ｂ，６Ｃから成る磁界検出手段６と、磁界発生部材７を移動させる圧電アクチュエータＰとを備える。磁界検出手段６での検出結果に基づいて磁界発生部材７と磁界検出手段６との相対的な位置決めを行う際、磁界発生部材７が移動する可動範囲において、所定領域では第１，第２の磁界検出素子６Ａ，６Ｂの検出結果に基づいて第１の位置決めを行い、所定領域から離れた所定ポイントでは第３の磁界検出素子６Ｃの検出結果に基づいて第２の位置決めを行う。【選択図】      図１
2006214736.tif 000002
【特許請求の範囲】
【請求項１】
磁界を発生させる磁界発生部材と、前記磁界を検出する第１，第２，第３の磁界検出素子から成る磁界検出手段と、前記磁界発生部材又は前記磁界検出手段を移動させる駆動手段とを備え、前記磁界検出手段での検出結果に基づいて前記磁界発生部材と前記磁界検出手段との相対的な位置決めを行う駆動装置であって、
前記磁界発生部材又は前記磁界検出手段が移動する可動範囲において、所定領域では前記第１，第２の磁界検出素子の検出結果に基づいて第１の位置決めを行い、前記所定領域から離れた所定ポイントでは前記第３の磁界検出素子の検出結果に基づいて第２の位置決めを行うことを特徴とする駆動装置。
【請求項２】
前記磁界発生部材の中央が前記第３の磁界検出素子に最近接したときの相対位置で前記第２の位置決めを行うことを特徴とする請求項１記載の駆動装置。
【請求項３】
前記磁界発生部材と前記磁界検出手段との相対的移動方向に対して垂直であり、かつ、前記磁界発生部材の中央を通る平面に関して、前記磁界発生部材で生じる磁力線が対称であることを特徴とする請求項１又は２記載の駆動装置。
【請求項４】
前記磁界発生部材又は前記磁界検出手段の移動をガイドする案内軸を前記駆動手段が備え、前記第１，第２，第３の磁界検出素子が前記案内軸のガイド方向に対して平行に配列されていることを特徴とする請求項１〜３のいずれか１項に記載の駆動装置。
【請求項５】
前記第１，第２の磁界検出素子がいずれも検出した磁界に応じて電気信号を出力するものであって、以下の式(f1)に基づく演算の結果に基づいて前記第１の位置決めを行うことを特徴とする請求項１〜４のいずれか１項に記載の駆動装置；
Ｋ・(Ａ−Ｂ)／(Ａ＋Ｂ)  …(f1)
ただし、
Ａ：第１の磁界検出素子からの電気信号の出力、
Ｂ：第２の磁界検出素子からの電気信号の出力、
Ｋ：比例定数、
である。
【請求項６】
隣り合うように配置された第１，第２の磁界検出素子と、前記第１，第２の磁界検出素子から離れた位置に配置された第３の磁界検出素子と、前記第１，第２の磁界検出素子の並び方向に対して平行な相対的移動が可能な移動体と、を備えた駆動装置であって、
前記第１，第２，第３の磁界検出素子に対して近接可能に位置する磁界発生部材を前記移動体が有し、前記磁界発生部材が前記第１，第２の磁界検出素子に接近したときは、前記第１，第２の磁界検出素子からの出力を用いた演算の結果に基づいて第１の位置決めを行い、前記磁界発生部材が前記第３の磁界検出素子に接近したときは、前記第３の磁界検出素子からの出力のみに基づいて第２の位置決めを行うことを特徴とする駆動装置。
【請求項７】
磁界を対称に発生させる１個の磁界発生部材と、前記磁界を検出してそれに応じた電気信号を出力する複数の磁界検出素子とを備え、前記磁界検出素子からの出力に基づいて前記磁界発生部材と前記磁界検出素子との相対的な位置決めを行う駆動装置であって、
前記複数の磁界検出素子のうちの隣り合う２個の磁界検出素子からの出力を用いた演算の結果に基づいて第１の位置決めを行い、前記複数の磁界検出素子のうちの１個の磁界検出素子からの出力が略ゼロになるポイントの検出結果に基づいて第２の位置決めを行うことを特徴とする駆動装置。
【請求項８】
前記第２の位置決めに用いる１個の磁界検出素子が、前記第１の位置決めに用いる２個の磁界検出素子以外の磁界検出素子であることを特徴とする請求項７記載の駆動装置。
【請求項９】
前記第１の位置決めに用いる２個の磁界検出素子がいずれも検出した磁界に応じて電気信号を出力する第１，第２の磁界検出素子であって、以下の式(f1)に基づく演算の結果に基づいて前記第１の位置決めを行うことを特徴とする請求項７又は８記載の駆動装置；
Ｋ・(Ａ−Ｂ)／(Ａ＋Ｂ)  …(f1)
ただし、
Ａ：第１の磁界検出素子からの電気信号の出力、
Ｂ：第２の磁界検出素子からの電気信号の出力、
Ｋ：比例定数、
である。
【請求項１０】
前記第１の磁界検出素子からの電気信号の出力Ａの値、前記第２の磁界検出素子からの電気信号の出力Ｂの値、又は前記第１，第２の磁界検出素子からの電気信号の出力ＡとＢとの合算値に基づいて、前記第１，第２の磁界検出素子の設置部分における温度を検出し、その検出結果に基づいて前記第２の位置決めに用いる１個の磁界検出素子の温度補償を行うことを特徴とする請求項９記載の駆動装置。
【請求項１１】
前記第１，第２，第３の磁界検出素子のうちの少なくとも１つがホール素子であることを特徴とする請求項１〜１０のいずれか１項に記載の駆動装置。
【請求項１２】
位置情報を発生させる位置情報発生手段と、前記位置情報を検出する第１，第２，第３の位置情報検出素子から成る位置情報検出手段と、前記位置情報発生手段又は前記位置情報検出手段を移動させる駆動手段とを備え、前記位置情報検出手段での検出結果に基づいて前記位置情報発生手段と前記位置情報検出手段との相対的な位置決めを行う駆動装置であって、
前記位置情報発生手段又は前記位置情報検出手段が移動する可動範囲において、所定領域では前記第１，第２の位置情報検出素子の検出結果に基づいて第１の位置決めを行い、前記所定領域から離れた所定ポイントでは前記第３の位置情報検出素子の検出結果に基づいて第２の位置決めを行うことを特徴とする駆動装置。
【請求項１３】
前記第１の位置決めを、前記第１の位置情報検出素子と前記第２の位置情報検出素子の各出力が最小値又は最大値に達しない範囲で行い、前記第２の位置決めを、前記第３の位置情報検出素子の出力が最小値又は最大値となる位置で行うことを特徴とする請求項１２記載の駆動装置。
【請求項１４】
前記位置情報発生手段が、その位置情報発生部分の中央を基準として、前記位置情報発生手段又は前記位置情報検出手段の移動方向に沿って反対符号かつ対称な物理量分布を有することを特徴とする請求項１２又は１３記載の駆動装置。
【請求項１５】
前記第１，第２，第３の位置情報検出素子が、発光部と受光部とから成る光学素子であり、前記位置情報発生手段が、前記発光部から発せられる光を受けて、前記受光部に入射する光量を可変にする機能を備えることを特徴とする請求項１２〜１４のいずれか１項に記載の駆動装置。
【請求項１６】
前記駆動手段が、圧電素子と、前記圧電素子の一端に固定された駆動部材と、前記駆動部材に対し移動可能に保持された可動部材と、を備えた圧電アクチュエータであることを特徴とする請求項１〜１５のいずれか１項に記載の駆動装置。
【発明の詳細な説明】
【技術分野】
【０００１】
本発明は駆動装置に関するものであり、例えば、撮像装置(デジタルカメラ，ビデオカメラ等)，光ピックアップ装置，光学測定装置等の光学機器におけるレンズ駆動機構等に好適な駆動装置に関するものである。
【背景技術】
【０００２】
撮像装置や光ピックアップ装置等におけるレンズ駆動機構に適用される駆動装置として、従来より様々なタイプのものが提案されているが、その駆動源に着目して大別すると、電磁モータ等を駆動源として用いる磁力源タイプと、圧電アクチュエータ等を駆動源とする非磁力源タイプとがある。前者の例として、例えば特許文献１には、可動部材に対して相対的に静止固定された推進用界磁マグネットを設けてなる駆動装置が開示されている。この駆動装置において可動部材の位置検出は、可動部材と一体に設けられた磁気センサが検出する変位量に基づいて行われる構成であるが、可動部材を変位させる駆動源が電磁モータであるため、界磁マグネットから発生する漏れ磁束によって磁気センサ出力にオフセットが重畳されないよう、可動部材の駆動速度に応じてハイパスフィルタ処理を施しオフセットを除去するという工夫が施されている。
【０００３】
一方、後者の例として特許文献２〜４記載の駆動装置が挙げられる。例えば特許文献２には、圧電アクチエータを駆動源とする駆動装置が開示されている。その駆動装置においては、圧電素子の一端に固定された駆動部材の電気抵抗を利用して、前記駆動部材に摩擦係合された可動部材の位置を検出するという、可動部材の位置検出手法が採用されている。特許文献３にも圧電アクチエータを駆動源とする駆動装置が開示されており、その可動部材の位置検出を、可動部材に設けられた可動電極と、固定部に設けられた固定電極との間の静電容量変化によって行う手法が開示されている。また特許文献４には、光ディスクのカバー層の厚さムラに起因する球面収差を補正するため、圧電アクチエータを駆動源としてレンズを移動させる駆動装置が開示されているが、レンズの位置検出に関する構成は示されていない。
【特許文献１】特開平８−２７５４９６号公報
【特許文献２】特開２０００−２０５８０９号公報
【特許文献３】特開２００３−１８５４０６号公報
【特許文献４】特開２００４−３９０６８号公報
【発明の開示】
【発明が解決しようとする課題】
【０００４】
しかしながら、特許文献１記載の駆動装置では、駆動源(電磁モータ)から発生する漏れ磁束によって磁気センサ出力にオフセットが重畳するという問題に対して、ハイパスフィルタ処理を施さなければならない。したがって、検出回路が複雑になりコスト面で、また信頼性の面で不利になる。また、Ｎ極とＳ極とを交互に配置した界磁マグネットを高い分解能で精度良く製造することが難しいという問題もある。
【０００５】
一方、非磁力源タイプである特許文献２，３記載の駆動装置にあっては上記のような問題は生じないが、可動部材の位置検出の点において次のような不都合がある。つまり、特許文献２記載の駆動装置においては、駆動部材の電気抵抗を利用して可動部材の位置検出を行うという接触式のセンシング方式を採用しているため、可動部材と駆動部材の接触抵抗が変動してしまい、高い分解能を得ることが困難である。アクチュエータ性能向上のためには軽量・高剛性の駆動部材が望まれるが、センシングのための電気抵抗値と高剛性を両立するための駆動部材の材料選択が難しいという問題もある。特許文献３記載の駆動装置では非接触式のセンシング手段を採用しているが、交流電圧を可動電極又は固定電極に印加する必要があるため、検出回路が複雑になりコスト面及び信頼性の面で不利になる。さらに、高い分解能を得るためには固定電極と可動電極との空隙を極めて小さくしなければならないという問題もある。
【０００６】
さらに別観点からの問題点として、駆動装置の動作環境の変動に起因する位置検出精度低下が挙げられる。例えば、特許文献１の手法では可動部材の位置検出に磁気センサを用いているが、そのセンシング特性は環境温度等により変移することから、結果として環境温度等の変化により可動部材の位置検出精度が低下することになる。また、可動部材の位置検出ポイントが広い間隔をあけて複数存在する場合には、必要な位置精度が得られなくなったり、可動部材の移動量の増大に伴って各部材やスペースが大きくなったりする。
【０００７】
本発明はこのような状況に鑑みてなされたものであって、その目的は、移動体の位置検出ポイントが広い間隔をあけて複数存在する場合でも、移動体を高い精度で位置決めすることができる駆動装置を提供することにある。
【課題を解決するための手段】
【０００８】
上記目的を達成するために、第１の発明の駆動装置は、磁界を発生させる磁界発生部材と、前記磁界を検出する第１，第２，第３の磁界検出素子から成る磁界検出手段と、前記磁界発生部材又は前記磁界検出手段を移動させる駆動手段とを備え、前記磁界検出手段での検出結果に基づいて前記磁界発生部材と前記磁界検出手段との相対的な位置決めを行う駆動装置であって、前記磁界発生部材又は前記磁界検出手段が移動する可動範囲において、所定領域では前記第１，第２の磁界検出素子の検出結果に基づいて第１の位置決めを行い、前記所定領域から離れた所定ポイントでは前記第３の磁界検出素子の検出結果に基づいて第２の位置決めを行うことを特徴とする。
【０００９】
第２の発明の駆動装置は、上記第１の発明において、前記磁界発生部材の中央が前記第３の磁界検出素子に最近接したときの相対位置で前記第２の位置決めを行うことを特徴とする。
【００１０】
第３の発明の駆動装置は、上記第１又は第２の発明において、前記磁界発生部材と前記磁界検出手段との相対的移動方向に対して垂直であり、かつ、前記磁界発生部材の中央を通る平面に関して、前記磁界発生部材で生じる磁力線が対称であることを特徴とする。
【００１１】
第４の発明の駆動装置は、上記第１〜第３のいずれか１つの発明において、前記磁界発生部材又は前記磁界検出手段の移動をガイドする案内軸を前記駆動手段が備え、前記第１，第２，第３の磁界検出素子が前記案内軸のガイド方向に対して平行に配列されていることを特徴とする。
【００１２】
第５の発明の駆動装置は、上記第１〜第４のいずれか１つの発明において、前記第１，第２の磁界検出素子がいずれも検出した磁界に応じて電気信号を出力するものであって、以下の式(f1)に基づく演算の結果に基づいて前記第１の位置決めを行うことを特徴とする。
Ｋ・(Ａ−Ｂ)／(Ａ＋Ｂ)  …(f1)
ただし、
Ａ：第１の磁界検出素子からの電気信号の出力、
Ｂ：第２の磁界検出素子からの電気信号の出力、
Ｋ：比例定数、
である。
【００１３】
第６の発明の駆動装置は、隣り合うように配置された第１，第２の磁界検出素子と、前記第１，第２の磁界検出素子から離れた位置に配置された第３の磁界検出素子と、前記第１，第２の磁界検出素子の並び方向に対して平行な相対的移動が可能な移動体と、を備えた駆動装置であって、前記第１，第２，第３の磁界検出素子に対して近接可能に位置する磁界発生部材を前記移動体が有し、前記磁界発生部材が前記第１，第２の磁界検出素子に接近したときは、前記第１，第２の磁界検出素子からの出力を用いた演算の結果に基づいて第１の位置決めを行い、前記磁界発生部材が前記第３の磁界検出素子に接近したときは、前記第３の磁界検出素子からの出力のみに基づいて第２の位置決めを行うことを特徴とする。
【００１４】
第７の発明の駆動装置は、磁界を対称に発生させる１個の磁界発生部材と、前記磁界を検出してそれに応じた電気信号を出力する複数の磁界検出素子とを備え、前記磁界検出素子からの出力に基づいて前記磁界発生部材と前記磁界検出素子との相対的な位置決めを行う駆動装置であって、前記複数の磁界検出素子のうちの隣り合う２個の磁界検出素子からの出力を用いた演算の結果に基づいて第１の位置決めを行い、前記複数の磁界検出素子のうちの１個の磁界検出素子からの出力が略ゼロになるポイントの検出結果に基づいて第２の位置決めを行うことを特徴とする。
【００１５】
第８の発明の駆動装置は、上記第７の発明において、前記第２の位置決めに用いる１個の磁界検出素子が、前記第１の位置決めに用いる２個の磁界検出素子以外の磁界検出素子であることを特徴とする。
【００１６】
第９の発明の駆動装置は、上記第７又は第８の発明において、前記第１の位置決めに用いる２個の磁界検出素子がいずれも検出した磁界に応じて電気信号を出力する第１，第２の磁界検出素子であって、以下の式(f1)に基づく演算の結果に基づいて前記第１の位置決めを行うことを特徴とする。
Ｋ・(Ａ−Ｂ)／(Ａ＋Ｂ)  …(f1)
ただし、
Ａ：第１の磁界検出素子からの電気信号の出力、
Ｂ：第２の磁界検出素子からの電気信号の出力、
Ｋ：比例定数、
である。
【００１７】
第１０の発明の駆動装置は、上記第９の発明において、前記第１の磁界検出素子からの電気信号の出力Ａの値、前記第２の磁界検出素子からの電気信号の出力Ｂの値、又は前記第１，第２の磁界検出素子からの電気信号の出力ＡとＢとの合算値に基づいて、前記第１，第２の磁界検出素子の設置部分における温度を検出し、その検出結果に基づいて前記第２の位置決めに用いる１個の磁界検出素子の温度補償を行うことを特徴とする。
【００１８】
第１１の発明の駆動装置は、上記第１〜第１０のいずれか１つの発明において、前記第１，第２，第３の磁界検出素子のうちの少なくとも１つがホール素子であることを特徴とする。
【００１９】
第１２の発明の駆動装置は、位置情報を発生させる位置情報発生手段と、前記位置情報を検出する第１，第２，第３の位置情報検出素子から成る位置情報検出手段と、前記位置情報発生手段又は前記位置情報検出手段を移動させる駆動手段とを備え、前記位置情報検出手段での検出結果に基づいて前記位置情報発生手段と前記位置情報検出手段との相対的な位置決めを行う駆動装置であって、前記位置情報発生手段又は前記位置情報検出手段が移動する可動範囲において、所定領域では前記第１，第２の位置情報検出素子の検出結果に基づいて第１の位置決めを行い、前記所定領域から離れた所定ポイントでは前記第３の位置情報検出素子の検出結果に基づいて第２の位置決めを行うことを特徴とする。
【００２０】
第１３の発明の駆動装置は、上記第１２の発明において、前記第１の位置決めを、前記第１の位置情報検出素子と前記第２の位置情報検出素子の各出力が最小値又は最大値に達しない範囲で行い、前記第２の位置決めを、前記第３の位置情報検出素子の出力が最小値又は最大値となる位置で行うことを特徴とする。
【００２１】
第１４の発明の駆動装置は、上記第１２又は第１３の発明において、前記位置情報発生手段が、その位置情報発生部分の中央を基準として、前記位置情報発生手段又は前記位置情報検出手段の移動方向に沿って反対符号かつ対称な物理量分布を有することを特徴とする。
【００２２】
第１５の発明の駆動装置は、上記第１２〜第１４のいずれか１つの発明において、前記第１，第２，第３の位置情報検出素子が、発光部と受光部とから成る光学素子であり、前記位置情報発生手段が、前記発光部から発せられる光を受けて、前記受光部に入射する光量を可変にする機能を備えることを特徴とする。
【００２３】
第１６の発明の駆動装置は、上記第１〜第１５のいずれか１つの発明において、前記駆動手段が、圧電素子と、前記圧電素子の一端に固定された駆動部材と、前記駆動部材に対し移動可能に保持された可動部材と、を備えた圧電アクチュエータであることを特徴とする。
【発明の効果】
【００２４】
本発明によれば、位置決めに応じて磁界検出素子又は位置情報検出素子を使い分ける構成になっているため、移動体の位置検出ポイントが広い間隔をあけて複数存在する場合でも、移動体を高い精度で位置決めすることができる。
【発明を実施するための最良の形態】
【００２５】
以下、本発明に係る駆動装置の実施の形態等を、図面を参照しつつ説明する。図１に本発明を実施した駆動装置のシステム構成を示し、図２に駆動装置(図１)において位置センサを構成する部分(すなわち、磁界検出手段６，磁界発生部材７及び検出回路８から成る位置センサ部分)を詳細に示す。図１に示す駆動装置は、例えば、撮像装置(デジタルカメラ，ビデオカメラ等)，光ピックアップ装置，光学測定装置等の光学機器において、光学素子を移動させるために用いられる駆動装置である。ここでは移動させる光学素子の例としてレンズ１２を挙げているが、この実施の形態はレンズ以外の光学素子を移動させる場合にも適用可能である。
【００２６】
図１に示す駆動装置は、圧電アクチュエータＰ(駆動手段)と、圧電アクチュエータＰを駆動させる駆動回路４及び制御回路５と、圧電アクチュエータＰが備える可動部材３に一体的に付設されその進退方向に表面磁束密度が変化されている磁界発生部材７と、磁界発生部材７により生成される磁界を検出する磁界検出手段６と、磁界検出手段６の検出信号に基づいて可動部材３のポジションを求める検出回路(演算手段)８と、を備えている。磁界検出手段６，磁界発生部材７及び検出回路８は、移動体(可動部材３，磁界発生部材７，レンズ１２を含む。)の位置を検出する位置センサ部分を構成している。また、可動部材３の一部から成るレンズホルダ部３Ａがレンズ１２を保持する構成になっている。なお、図１中のＸ，Ｙ，Ｚは互いに直交する方向を示しており、レンズ１２の光軸ＡＸに対して平行な方向をＸ方向とし、磁界検出手段６と磁界発生部材７との対向方向をＺ方向としている。
【００２７】
圧電アクチュエータＰは、圧電素子(例えばピエゾ素子)１と、圧電素子１の一端に固定された駆動部材(案内軸)２と、駆動部材２に対し移動可能に保持された可動部材３と、で構成されている。圧電素子１の電歪方向(伸縮方向)の一端側には、駆動部材２が接着等の手法により固着されており、圧電素子１の伸縮動作により駆動部材２が往復移動(Ｘ方向)するようになっている。一方、圧電素子１の他端側は取り付け部９に固定されており、取り付け部９は筐体１３に固定されている。これにより圧電素子１の伸長方向が規制される。
【００２８】
可動部材３は貫通孔３Ｂを備えており、その貫通孔３Ｂに駆動部材２が挿通された状態で、所定の摩擦係合力をもって駆動部材２に取り付けられている。可動部材３の取り付けは、レンズ１２の光軸ＡＸと、可動部材３の進退方向(つまり駆動部材２の延在方向)と、が平行になる位置関係とされている。一方、可動部材３の他端側には凹形状の係合部３Ｃが設けられており、可動部材３はその係合部３Ｃで副軸１０に掛けられている。副軸１０は、駆動部材２の延在方向に対して平行に位置するように筐体１３に固定されている。したがって、可動部材３の移動は駆動部材２と副軸１０とによってガイドされる。
【００２９】
圧電素子１は繰り出し方向へ伸長するとき緩やかに伸び変位し、それに伴って駆動部材２も緩やかな速度で繰り出し方向に移動する。したがって、駆動部材２に摩擦係合された可動部材３は、その摩擦係合力により同期追随して変位する。次に、圧電素子１は急速に縮み変位し、それに伴って駆動部材２も急峻な速度で戻り方向に移動する。したがって、駆動部材２と可動部材３との摩擦係合部分に滑りが生じることになる。その結果、可動部材３は駆動部材２の軸変位に追随して変位せず、戻り方向に僅かに戻るようになる。この動作を繰り返すことによって、可動部材３は駆動部材２の軸上を圧電素子１から離れる方向に移動する。なお、圧電素子１に近づく方向に可動部材３を移動させる場合には、圧電素子１に上記とは逆の伸縮動作を行わせればよい。
【００３０】
この実施の形態に用いられる駆動手段としては、上記の圧電アクチュエータＰのような、いわゆる「非磁力源タイプ」の駆動手段を用いることが望ましい。具体的には、駆動手段が備える可動部材３の進退に伴って生じる表面磁束密度が０．１ｍＴ以下のものである一方、磁界発生部材７が発生する表面磁束密度の最大値が１ｍＴ以上とすることが望ましい。このように、駆動手段の動作により発生される表面磁束密度を、磁界発生部材７が発生する表面磁束密度の１／１０程度以下に抑制することで、漏れ磁束により磁界検出手段６の検出信号が乱されず、可動部材３の高精度な位置決めが達成できるようになる。このような「非磁力源タイプ」の駆動手段としては、圧電アクチュエータＰのほかに、超音波モータを用いて可動部材３を進退動作させる超音波アクチュエータ、形状記憶部材を用いて可動部材３を進退動作させる形状記憶アクチュエータ等が挙げられる。
【００３１】
制御回路５は、上位のコンピュータ(不図示)等から与えられる位置指令(可動部材３の変位指令)を受け取り、可動部材３を指令位置に移動させるための駆動制御信号を生成する。この駆動制御信号は、検出回路８から送信される可動部材３の位置信号と、前記位置指令に基づく位置信号との差に応じ、可動部材３が所定の移動量だけ移動するように生成される。このように生成された駆動制御信号は、駆動回路４に入力される。駆動回路４は、前記駆動制御信号に基づいて、可動部材３が所定の移動量だけ移動するように圧電素子１を駆動させる駆動信号を生成し、圧電素子１を実際に駆動させる。
【００３２】
磁界発生部材７は、図２に示すように、Ｎ極部分７ＡとＳ極部分７Ｂを有する単一の棒磁石から成っている。したがって、磁界発生部材７からはＮ極部分７ＡとＳ極部分７Ｂとの境目を中心に磁界が対称に発生する。また、磁界発生部材７は可動部材３の進退方向(Ｘ方向)にＮ極部分７ＡとＳ極部分７Ｂとが横並びするように配置されており、その磁界発生部材７に対向するように磁界検出手段６が配置されている。このような磁界発生部材７によれば、可動部材３の進退方向における表面磁束密度が、Ｎ極部分７ＡとＳ極部分７Ｂとの直線的な境界において急峻に変化する態様となる。これにより、移動量が微少でも大きな磁界変動を発生させることが可能となるので、移動体の可動範囲を短縮することができる。また磁界発生部材７は、可動部材３に対し一体的に設けられている。したがって、可動部材３，レンズ１２及び磁界発生部材７は一体的に移動することになる。なお、可動部材３と磁界発生部材７との固定は直接的でもよく間接的でもよい。
【００３３】
磁界発生部材７は、可動部材３の進退方向に表面磁束密度が変化するものであればよい。つまり、表面磁束密度の変化態様としては特に制限はなく、固定的に配置されている磁界検出手段６に対して、自身の進退移動による表面磁束密度変化が作用する変化態様を具備していればよい。ただし、磁界発生部材７と磁界検出手段６との相対的移動方向(Ｘ方向)に対して垂直であり、かつ、磁界発生部材７の中央を通る平面に関して、磁界発生部材７で生じる磁力線が対称であることが、高精度の位置検出を行う上で好ましい。
【００３４】
図５に、磁界発生部材７の他の具体例を示す。図５(ａ)は、Ｎ極部分７ＡとＳ極部分７Ｂとの間に非着磁部分７Ｃを有する磁界発生部材１７を示しており、図５(ｂ)は、Ｎ極部分７ＡとＳ極部分７Ｂがいずれも三角形状の磁界発生部材１８を示している。いずれの磁界発生部材１７，１８を用いた場合でも、出力変化が緩やかになるとともに、磁界検出手段６に対する相対的な傾きの影響が生じにくくなる。なお、磁界発生部材７，１７，１８を四角柱状，三角柱状の磁石の貼り合わせにより構成してもよく、磁石の代わりに着磁シート等を用いて構成してもよい。
【００３５】
磁界発生部材７の移動経路の近傍には、磁界検出手段６が筐体１３に固定されている。磁界検出手段６は、(可動部材３の進退動作に基づく)磁界発生部材７の移動に伴う磁界変化を検出するものであり、磁界を検出する第１，第２，第３の磁界検出素子６Ａ，６Ｂ，６Ｃで構成されている。第１，第２，第３の磁界検出素子６Ａ，６Ｂ，６Ｃとしては、検出された磁界に応じて電気信号を出力する各種の磁気センサを用いることができる。代表的なものとしては、ホール素子，ＭＲ素子，ＭＩ素子等が挙げられる。このうちホール素子は、一般に小型であってこの種の駆動装置への組込み性に優れ、また安価であることから、好適に用いることができる。したがって、第１，第２，第３の磁界検出素子６Ａ，６Ｂ，６Ｃのうちの少なくとも１つはホール素子であることが好ましい。
【００３６】
また、第１，第２，第３の磁界検出素子６Ａ，６Ｂ，６Ｃは、磁界発生部材７の進退方向に沿って磁界発生部材７に対向するように並べられている。つまり、磁界発生部材７等の移動をガイドする駆動部材(案内軸)２のガイド方向に対して平行に配列されている。この配置により位置センサ部分を簡単な構成にすることができる。なお、ここでは３個の磁界検出素子６Ａ，６Ｂ，６Ｃを用いた場合を示しているが、４個以上の磁界検出素子を並置するようにしてもよい。
【００３７】
前述したように、磁界発生部材７は磁界検出手段６に対向するよう可動部材３に固定されており、磁界発生部材７の進退方向に沿って第１，第２，第３の磁界検出素子６Ａ，６Ｂ，６Ｃが固定的に並置されている。つまり、可動部材３等の移動体は、第１，第２，第３の磁界検出素子６Ａ，６Ｂ，６Ｃの並び方向に対して平行に移動することになる。また、磁界発生部材７の表面磁束密度は、その進退方向に対して、一方の端部近傍で正の最大値をとり、中央部分でゼロとなり、他方の端部近傍で負の最大値をとる。したがって、磁界発生部材７がＸ方向に移動すると、各磁界検出素子６Ａ，６Ｂ，６Ｃ周辺の磁界が、磁界発生部材７から与えられる表面磁束密度の変化に応じてそれぞれ変化するため、各磁界検出素子６Ａ，６Ｂ，６Ｃが検出する出力信号も変化することになる。
【００３８】
検出回路８は、磁界検出手段６の検出信号に基づいて可動部材３のポジションを求める演算手段としての機能を有している。例えば、第１，第２の磁界検出素子６Ａ，６Ｂによりそれぞれ検出された磁界検出信号は検出回路８に入力され、当該２つの磁界検出信号を検出回路８が増幅，演算することにより、可動部材３の現在位置情報である位置信号を生成する。ここで生成された位置信号は、制御回路５へ出力される(出力１)。一方、第３の磁界検出素子６Ｃにより検出された磁界検出信号は検出回路８に入力され、その磁界検出信号を検出回路８が増幅することにより、可動部材３の現在位置情報である位置信号を生成する。ここで生成された位置信号は、制御回路５へ出力される(出力２)。
【００３９】
図１，図２に示すように、第１，第２の磁界検出素子６Ａ，６Ｂは隣り合うように配置されており、第３の磁界検出素子６Ｃは第１，第２の磁界検出素子６Ａ，６Ｂから離れた位置に配置されている。このように各磁界検出素子６Ａ，６Ｂ，６Ｃを配置することにより、２種類・３ポイントの位置決めを高い精度で行うことができる。その位置決めは、磁界検出手段６での検出結果(つまり、各磁界検出素子６Ａ，６Ｂ，６Ｃからの出力)に基づいて行われる、磁界発生部材７と磁界検出手段６との相対的な位置決めである。なお、隣り合うように配置された第１，第２の磁界検出素子６Ａ，６Ｂは、接触状態で配置されていてもよく、所定間隔をあけた近接状態で配置されていてもよい。
【００４０】
図３に、位置センサ部分(図２)において移動する磁界発生部材７とその位置を検出する磁界検出手段６との位置関係を示し、そのうちの検出ポイント及び検出領域を抽出して図４に示す。図３は、位置固定の第１，第２，第３の磁界検出素子６Ａ，６Ｂ，６Ｃに対し、磁界発生部材７がＸ方向に(第１の磁界検出素子６Ａ側から第３の磁界検出素子６Ｃ側へ)移動する様子を時間Ｔの経過に沿って示している。なお、移動体の位置は磁界発生部材７の中央を基準に表現してある。
【００４１】
この実施の形態では、移動体の可動範囲ＡＬにおいて２種類・３ポイントの位置決めが行われる。第１の位置決めは、位置検出必要領域ＡＰにおいて第１，第２の磁界検出素子６Ａ，６Ｂの検出結果に基づいて行われ、第２の位置決めは、位置検出必要領域ＡＰから離れた第３ポイントＰ３で第３の磁界検出素子６Ｃの検出結果に基づいて行われる。第１の位置決めで検出される位置決めポイントは第１ポイントＰ１と第２ポイントＰ２であり(その間隔は例えば１ｍｍ)、ポイントＰ０は出力１がゼロとなる検出ポイントである。
【００４２】
位置検出必要領域ＡＰは、その全域で高精度の位置検出(±２０μｍ程度)が必要とされる領域である。例えば、種々の要因により変動する収差を補正するためにレンズ１２の位置を微調整する必要がある場合に、レンズ１２の位置を正確に検出するための領域(例えば２ｍｍ)である。一方、位置検出必要領域ＡＰから離れた第３ポイントＰ３は、位置検出必要領域ＡＰの範囲内ほど高精度の位置検出は必要とされないが、ある程度の検出位置精度(±１００μｍ程度)が必要とされる位置にある(ポイントＰ０との間隔が例えば５．５ｍｍ)。なお、位置検出必要領域ＡＰと第３ポイントＰ３以外の領域は、移動方向の正逆が分かる程度であればよく、詳細な位置検出は不要である。
【００４３】
上記のように、位置決めのための検出位置が２つに離れている場合、位置検出必要領域ＡＰのみで磁界検出手段６に対する磁界発生部材７の位置を検出しようとすると、出力ゼロの検出ポイントＰ０から離れた位置での検出を行うことになるため、必要な位置精度が得られなくなる。つまり、第１の位置決めに用いる第１，第２の磁界検出素子６Ａ，６Ｂでは、第２の位置決めのために必要な精度で位置検出を行うことができない。位置精度を上げるために磁界発生部材７を長くすると駆動装置の大型化を招くことになり、また、磁界発生部材７を長くしても必要な位置精度を得ることは困難である。
【００４４】
この実施の形態では、第３の磁界検出素子６Ｃを用いることにより、位置検出必要領域ＡＰから離れた第３ポイントＰ３での位置検出を行う構成になっている。つまり、磁界発生部材７が第３の磁界検出素子６Ｃに接近したときは、第３の磁界検出素子６Ｃからの出力のみ(出力２)に基づいて第２の位置決めを行う構成になっている。したがって、必要な位置精度を得ることが可能である。２つ以上の磁界検出素子で第３ポイントＰ３の位置を検出する構成にしてもよいが、第３の磁界検出素子６Ｃからの出力がゼロになるポイントの検出結果に基づいて第２の位置決めを行う構成にすれば、磁界検出素子６Ｃのみでもある程度高い検出位置精度を確保することが可能である。また、出力ゼロポイントを検出する構成であれば、磁界発生部材７と磁界検出手段６とのＺ方向の相対的な位置変動(取付誤差等)の影響、磁界発生部材７や磁界検出手段６の温度特性の影響等を受けにくいというメリットもある。したがって、磁界発生部材７の中央が第３の磁界検出素子６Ｃに最近接したときの相対位置で第２の位置決めを行うことが好ましい。
【００４５】
この実施の形態では、第１，第２の磁界検出素子６Ａ，６Ｂを用いることにより、第１，第２ポイントＰ１，Ｐ２での位置検出を行う構成になっている。つまり、磁界発生部材７が第１，第２の磁界検出素子６Ａ，６Ｂに接近したときは、第１，第２の磁界検出素子６Ａ，６Ｂからの出力を用いた演算の結果(出力１)に基づいて第１の位置決めを行う構成になっている。隣り合うように配置された第１，第２の磁界検出素子６Ａ，６Ｂで位置検出必要領域ＡＰ内の位置検出を行う構成によると、磁界発生部材７や磁界検出手段６の温度特性の影響を受けにくくなり、それによって高精度の位置検出が可能となる。その詳細を以下に説明する。
【００４６】
検出回路８(図２)は、演算増幅器から成る第１，第２，第３の加算器８Ａ，８Ｂ，８Ｃと、第１の加算器８Ａ及び第２の加算器８Ｂの出力値に基づいて演算処理を行う演算器８Ｄと、を備えている。第１の加算器８Ａは、第１の磁界検出素子６Ａが磁界を検出して出力する出力電気信号を増幅するもので、第１の磁界検出素子６Ａのプラス側端子が第１の加算器８Ａの非反転入力端子に接続されている。また第１の磁界検出素子６Ａのマイナス側端子は、第１の加算器８Ａの反転入力端子に接続されている。一方、第２の加算器８Ｂは、第２の磁界検出素子６Ｂが磁界を検出して出力する出力電気信号を増幅するものであり、第２の磁界検出素子６Ｂのプラス側端子が第２の加算器８Ｂの反転入力端子に接続されている。また第２の磁界検出素子６Ｂのマイナス側端子は、第２の加算器８Ｂの非反転入力端子に接続されている。このように、第１の磁界検出素子６Ａと第２の磁界検出素子６Ｂとで、それぞれ第１の加算器８Ａ及び第２の加算器８Ｂへ接続する極性を変えているのは、第１の磁界検出素子６Ａが磁界発生部材７のＮ極磁束を支配的に検知し、第２の磁界検出素子６Ｂが磁界発生部材７のＳ極磁束を支配的に検知することから、極性を反転させることで後段の演算器８Ｄにおいて、演算処理を容易に行うためである。
【００４７】
演算器８Ｄは、以下の式(f1)に基づいて演算を行い、その演算結果を可動部材３のポジション情報(つまり、レンズ１２の現在位置情報)として制御回路５に送信する。
Ｋ・(Ａ−Ｂ)／(Ａ＋Ｂ)  …(f1)
ただし、
Ａ：第１の磁界検出素子からの電気信号の出力、
Ｂ：第２の磁界検出素子からの電気信号の出力、
Ｋ：比例定数、
である。
【００４８】
上記のような(Ａ−Ｂ)／(Ａ＋Ｂ)の演算処理を演算器８Ｄにおいて実行させる目的は、検出回路８が検出する可動部材３の位置信号の動作環境温度特性を改善することにある。例えば、磁石は環境温度が変化すると、その温度特性により磁束密度が変化する。環境温度が上昇した場合、磁界発生部材７の温度特性によってその表面磁束密度が低下することになる。これに伴い、第１，第２の磁界検出素子６Ａ，６Ｂの出力値も、環境温度の上昇に伴い低下する傾向がある。演算器８Ｄは、このような動作環境温度の変化による第１，第２の磁界検出素子６Ａ，６Ｂの出力値低下の影響を受けずに可動部材３の位置検知を行うことができるよう、演算処理を行うものである。つまり、第１の磁界検出素子６Ａと第２の磁界検出素子６Ｂから出力される２つの出力信号に基づいて可動部材３の位置検出を行うので、実質的に当該光学機器の動作環境温度変化の影響を受けることなく、正確に位置検出を行うことが可能である。
【００４９】
演算器８Ｄによる(Ａ−Ｂ)／(Ａ＋Ｂ)の演算結果を可動部材３の位置信号として使用するだけでなく、第１の磁界検出素子６Ａ及び第２の磁界検出素子６Ｂの出力値が動作環境温度に応じて増減することを活用して、演算器８Ｄを温度センサ(温度検出手段)として機能させるようにしてもよい。つまり、第１の磁界検出素子６Ａからの電気信号の出力Ａの値、第２の磁界検出素子６Ｂからの電気信号の出力Ｂの値、又は第１，第２の磁界検出素子６Ａ，６Ｂからの電気信号の出力ＡとＢとの合算値に基づいて、第１，第２の磁界検出素子６Ａ，６Ｂの設置部分における温度を検出し、その検出結果に基づいて前記第２の位置決めに用いる第３の磁界検出素子６Ｃの温度補償を行うようにしてもよい。この温度補償により、磁界検出手段６の温度特性の影響を更に小さくすることが可能となる。
【００５０】
この実施の形態では、磁界検出手段６が位置固定であり、磁界発生部材７が移動する構成になっているが、磁界検出手段６と磁界発生部材７との配置関係を入れ替えた構成にしてもよい。つまり、筐体１３に磁界発生部材７を取り付けることにより、磁界発生部材７の位置を固定とし、磁界検出手段６を可動部材３又はそれと一体の部分に取り付けることにより、可動部材３，レンズ１２及び磁界検出手段６を一体的に移動させる構成としてもよい。この場合においても、上記と実質的に同様な動作を行わせることが可能である。各磁界検出素子６Ａ，６Ｂ，６Ｃに接続される配線部材(ＦＰＣ，リード線等)が屈曲するおそれがある反面、磁界発生部材７の移動スペースを確保しなくてよいという利点があり、全体として省スペース化を図ることができる。
【００５１】
上記のように磁界検出手段６と磁界発生部材７との配置関係の自由度を考慮すると、駆動手段である圧電アクチュエータＰにより駆動する移動体の位置検出に関して、この実施の形態は以下の特徴的構成(i),(ii),(iii)等を含んでいることは明らかである。そして、この特徴的構成(i),(ii)又は(iii)によれば、移動体の位置検出ポイントが広い間隔をあけて複数存在する場合でも、移動体を高い精度で位置決めすることが可能である。そして、このような構成の駆動装置を高い位置決め精度が要求される光学機器に用いれば、当該光学機器の高性能化，高機能化とともに軽量・コンパクト化，低コスト化等にも寄与することができる。
【００５２】
(i)  磁界を発生させる磁界発生部材と、前記磁界を検出する第１，第２，第３の磁界検出素子から成る磁界検出手段と、前記磁界発生部材又は前記磁界検出手段を移動させる駆動手段とを備え、前記磁界検出手段での検出結果に基づいて前記磁界発生部材と前記磁界検出手段との相対的な位置決めを行う駆動装置であって、前記磁界発生部材又は前記磁界検出手段が移動する可動範囲において、所定領域では前記第１，第２の磁界検出素子の検出結果に基づいて第１の位置決めを行い、前記所定領域から離れた所定ポイントでは前記第３の磁界検出素子の検出結果に基づいて第２の位置決めを行うことを特徴とする駆動装置。
【００５３】
(ii)  隣り合うように配置された第１，第２の磁界検出素子と、前記第１，第２の磁界検出素子から離れた位置に配置された第３の磁界検出素子と、前記第１，第２の磁界検出素子の並び方向に対して平行な相対的移動が可能な移動体と、を備えた駆動装置であって、前記第１，第２，第３の磁界検出素子に対して近接可能に位置する磁界発生部材を前記移動体が有し、前記磁界発生部材が前記第１，第２の磁界検出素子に接近したときは、前記第１，第２の磁界検出素子からの出力を用いた演算の結果に基づいて第１の位置決めを行い、前記磁界発生部材が前記第３の磁界検出素子に接近したときは、前記第３の磁界検出素子からの出力のみに基づいて第２の位置決めを行うことを特徴とする駆動装置。
【００５４】
(iii)  磁界を対称に発生させる１個の磁界発生部材と、前記磁界を検出してそれに応じた電気信号を出力する複数の磁界検出素子とを備え、前記磁界検出素子からの出力に基づいて前記磁界発生部材と前記磁界検出素子との相対的な位置決めを行う駆動装置であって、前記複数の磁界検出素子のうちの隣り合う２個の磁界検出素子からの出力を用いた演算の結果に基づいて第１の位置決めを行い、前記複数の磁界検出素子のうちの１個の磁界検出素子からの出力がゼロになるポイントの検出結果に基づいて第２の位置決めを行うことを特徴とする駆動装置。
【００５５】
上述した実施の形態では、移動体の位置検出に磁界の発生及び検出を利用する構成になっているが、移動体の位置情報の発生及び検出を行う構成であればこれに限らない。例えば、磁界発生部材(磁石等)７の代わりに光量変換部材(遮光板，反射板，白黒チャート等)を用い、磁界検出素子(ホール素子等)６Ａ，６Ｂ，６Ｃから成る磁界検出手段６の代わりに発光部・受光部から成る光検出手段(光透過型フォトインタラプタ，光反射型フォトインタラプタ等)を用いてもよい。この場合においても、上記と実質的に同様な動作を行わせることが可能である。
【００５６】
以下に、フォトインタラプタを用いて光学式の位置センサ部分が構成された実施の形態を説明する。ただし、位置センサ部分以外は前述の実施の形態(図１等)と同様の構成になっているので、詳しい説明を省略する。図６に、位置センサ部分を構成する遮光板７１及び光検出手段６１を示し、図７に位置センサ部分の回路構成を示す。遮光板７１は直角三角形の薄板から成り、光検出手段６１は移動する遮光板７１の位置を検出する第１，第２，第３のフォトインタラプタ６１Ａ，６１Ｂ，６１Ｃで構成されている。第１，第２，第３のフォトインタラプタ６１Ａ，６１Ｂ，６１Ｃは、前記第１，第２，第３の磁界検出素子６Ａ，６Ｂ，６Ｃに相当する光検出素子であり、いずれも一般的な透過型フォトインタラプタである。フォトインタラプタ６１Ａ，６１Ｂは、図７に示すように、オープンコレクタ出力をプルアップ後、増幅する。これら２つの出力Ａ，Ｂから、(Ａ＋Ｂ)／(Ａ−Ｂ)の演算を行い、その結果を出力１とする。フォトインタラプタ６１Ｃは、コンパレータ(比較器)を通るため、出力はほぼ０、又はほぼＶｃｃ(５Ｖ)のいずれかに選択的に切り換わる。
【００５７】
図８に、フォトインタラプタ６１Ａ〜６１Ｃと遮光板７１との位置及び出力の関係を示す。図８から分かるように、遮光板７１の形状を適切にすれば、フォトインタラプタ６１Ａ，６１Ｂ各々より、所定領域内(基準位置から±１ｍｍの範囲)で遮光板７１の位置にほぼ比例した出力を得ることが可能である。したがって、(Ａ＋Ｂ)／(Ａ−Ｂ)は遮光板７１の位置に比例した値となり、また、ホール素子と同様、温度変動があっても上記計算でキャンセルされる。一方、フォトインタラプタ６１Ｃについては、遮光板７１のエッジ部分を検出するようにすれば、フォトインタラプタ６１Ｃの出力は回路により急激に立ち上がるようになっているため、精度良くピンポイントで位置検出することが可能である。ホール素子と磁石とを組み合わせた場合と同様、Ｚ方向(図１)の変動やフォトインタラプタの温度特性の影響もほとんど受けず、また、磁石と違って遮光板には温度特性がないので、その影響もない。
【００５８】
図９に、位置検出のための光検出素子として反射型フォトインタラプタ(すなわちフォトリフレクタ)を用いる場合に使用される反射板(例えば白黒チャート)７２を示す。反射板７２の白い部分で光が反射され黒い部分で光が吸収されるので、第３ポイントＰ３(図３，図４)の位置検出を行う第３のフォトリフレクタで白／黒の切り換わる部分を検出するようにすれば、図６〜図８に示す実施の形態と同様の効果を得ることができる。反射／吸収を行う白／黒の並びは逆でもよい。また、白い部分が透過部から成り、黒い部分が遮光部から成る透過型のフィルムを用いれば、透過型，反射型のいずれのフォトインタラプタにも対応することができる。
【００５９】
磁石，反射板等を位置情報発生手段とし、ホール素子，フォトインタラプタ等を位置情報検出手段とすると、位置情報発生手段と位置情報検出手段とが相互に作用して２者の相対変位に基づく信号を位置情報検出手段から出力し、位置情報発生手段が位置情報の知りたい方向に沿って所定の大きさを持つことによりその方向に物理量の分布が存在し、その物理量を位置情報検出手段で検出する構成にすれば、移動体の位置を検出して位置決めを行うことが可能となる。このように位置情報の発生及び検出の多様性を考慮すると、駆動手段である圧電アクチュエータＰにより駆動する移動体の位置検出に関して、上記各実施の形態は以下の特徴的構成(iv)〜(viii)等を含んでいることは明らかである。そして、この特徴的構成(iv)〜(viii)のいずれかによれば、移動体の位置検出ポイントが広い間隔をあけて複数存在する場合でも、移動体を高い精度で位置決めすることが可能である。そして、このような構成の駆動装置を高い位置決め精度が要求される光学機器に用いれば、当該光学機器の高性能化，高機能化とともに軽量・コンパクト化，低コスト化等にも寄与することができる。
【００６０】
(iv)  位置情報を発生させる位置情報発生手段と、前記位置情報を検出する第１，第２，第３の位置情報検出素子から成る位置情報検出手段と、前記位置情報発生手段又は前記位置情報検出手段を移動させる駆動手段とを備え、前記位置情報検出手段での検出結果に基づいて前記位置情報発生手段と前記位置情報検出手段との相対的な位置決めを行う駆動装置であって、前記位置情報発生手段又は前記位置情報検出手段が移動する可動範囲において、所定領域では前記第１，第２の位置情報検出素子の検出結果に基づいて第１の位置決めを行い、前記所定領域から離れた所定ポイントでは前記第３の位置情報検出素子の検出結果に基づいて第２の位置決めを行うことを特徴とする駆動装置。
【００６１】
(v)  隣り合うように配置された第１，第２の位置情報検出素子と、前記第１，第２の位置情報検出素子から離れた位置に配置された第３の位置情報検出素子と、前記第１，第２の位置情報検出素子の並び方向に対して平行な相対的移動が可能な移動体と、を備えた駆動装置であって、前記第１，第２，第３の位置情報検出素子に対して近接可能に位置する位置情報発生手段を前記移動体が有し、前記位置情報発生手段が前記第１，第２の位置情報検出素子に接近したときは、前記第１，第２の位置情報検出素子からの出力を用いた演算の結果に基づいて第１の位置決めを行い、前記位置情報発生手段が前記第３の位置情報検出素子に接近したときは、前記第３の位置情報検出素子からの出力のみに基づいて第２の位置決めを行うことを特徴とする駆動装置。
【００６２】
(vi)  位置情報を発生させる１個の位置情報発生手段と、前記位置情報を検出してそれに応じた電気信号を出力する複数の位置情報検出素子とを備え、前記位置情報検出素子からの出力に基づいて前記位置情報発生手段と前記位置情報検出素子との相対的な位置決めを行う駆動装置であって、前記複数の位置情報検出素子のうちの隣り合う２個の位置情報検出素子からの出力を用いた演算の結果に基づいて第１の位置決めを行い、前記複数の位置情報検出素子のうちの１個の位置情報検出素子からの出力がゼロになるポイントの検出結果に基づいて第２の位置決めを行うことを特徴とする駆動装置。
【００６３】
(vii)  前記位置情報発生手段の中央が前記第３の位置情報検出素子に最近接したときの相対位置で前記第２の位置決めを行うことを特徴とする上記(iv)又は(v)記載の駆動装置。
【００６４】
(viii)  前記位置情報発生手段が、その位置情報発生部分の中央を基準として、前記位置情報発生手段又は前記位置情報検出手段の移動方向に沿って反対符号かつ対称な物理量分布を有することを特徴とする上記(iv)〜(vii)のいずれか１項に記載の駆動装置。
【図面の簡単な説明】
【００６５】
【図１】駆動装置の実施の形態を示すシステム構成図。
【図２】図１の実施の形態における位置センサ部分を示すシステム構成図。
【図３】図２の位置センサ部分において移動する磁界発生部材とその位置を検出する磁界検出手段との位置関係を説明するための模式図。
【図４】図３中の検出ポイント及び検出領域を抽出して示す模式図。
【図５】図１の実施の形態において使用可能な他の磁界発生部材の具体例を示す正面図。
【図６】駆動装置の他の実施の形態を構成する位置センサ部分を示す斜視図。
【図７】図６の位置センサ部分を示す回路構成図。
【図８】図６の位置センサ部分におけるフォトインタラプタと遮光板との位置及び出力の関係を示す模式図。
【図９】駆動装置の他の実施の形態に用いる反射板の外観を示す平面図。
【符号の説明】
【００６６】
Ｐ    圧電アクチュエータ(駆動手段)
１    圧電素子
２    駆動部材(案内軸)
３    可動部材
３Ａ    レンズホルダ部
４    駆動回路
５    制御回路
６    磁界検出手段(位置情報検出手段)
６Ａ    第１の磁界検出素子(第１の位置情報検出素子)
６Ｂ    第２の磁界検出素子(第２の位置情報検出素子)
６Ｃ    第３の磁界検出素子(第３の位置情報検出素子)
７    磁界発生部材(位置情報発生手段)
７Ａ    Ｎ極部分
７Ｂ    Ｓ極部分
７Ｃ    非着磁部分
８    検出回路(演算手段)
８Ａ    第１の加算器
８Ｂ    第２の加算器
８Ｃ    第３の加算器
８Ｄ    演算器(演算手段)
１２    レンズ
ＡＸ    光軸
【図１】
2006214736.tif 000003
【図２】
2006214736.tif 000004
【図３】
2006214736.tif 000005
【図４】
2006214736.tif 000006
【図５】
2006214736.tif 000007
【図６】
2006214736.tif 000008
【図７】
2006214736.tif 000009
【図８】
2006214736.tif 000010
【図９】
2006214736.tif 000011